(57)【要約】【課題】搬送コストを低減してガラス繊維シートに皺のない湾曲形状防煙垂壁を形成する。【解決手段】湾曲形状防煙垂壁１は、レール２と、端部方立３と、中間方立４と、パネルジョイント５と、湾曲形状防煙垂壁用パネル６とにより構成され、この湾曲形状防煙垂壁用パネル６は、防煙垂壁用パネル本体１０と、外枠２０とにより構成され、この防煙垂壁用パネル本体１０は、可撓性、柔軟性及び弾性を有して変形可能に形成された枠体１１と、この枠体１１の一方の面に取り付けられたガラス繊維シート１２とにより構成されている。そして、防煙垂壁用パネル本体１０と外枠２０とを分離して搬送し、施工現場において防煙垂壁用パネル本体１０を曲げて外枠２０にはめ込んで湾曲形状防煙垂壁用パネル６を形成し、この湾曲形状防煙垂壁用パネル６を配置することで、湾曲形状防煙垂壁を形成する。【選択図】図９
2011021350.tif 000002
【特許請求の範囲】
【請求項１】
可撓性を有する枠体の一方の面にガラス繊維シートが取り付けられた防煙垂壁用パネル本体と、湾曲形状の外枠と、を備える湾曲形状防煙垂壁用パネルを用いた湾曲形状防煙垂壁の形成方法であって、
平面形状の前記防煙垂壁用パネル本体を前記ガラス繊維シート側に凸形状に曲げ、当該防煙垂壁用パネル本体を前記外枠に取り付けて前記湾曲形状防煙垂壁用パネルを形成し、
前記湾曲形状防煙垂壁用パネルを前記湾曲形状防煙垂壁の設置場所に配置して、前記湾曲形状防煙垂壁を形成することを特徴とする湾曲形状防煙垂壁の形成方法。
【請求項２】
可撓性を有する枠体の一方の面にガラス繊維シートが取り付けられた防煙垂壁用パネル本体と、湾曲形状の外枠と、を備える湾曲形状防煙垂壁用パネルを用いた湾曲形状防煙垂壁の形成方法であって、
前記外枠を前記湾曲形状防煙垂壁の設置場所に配置し、
平面形状の前記防煙垂壁用パネル本体を前記ガラス繊維シート側に凸形状に曲げ、当該防煙垂壁用パネル本体を前記外枠に取り付けて前記湾曲形状防煙垂壁を形成することを特徴とする湾曲形状防煙垂壁の形成方法。
【請求項３】
前記外枠は、内側に向けて開口する溝部が形成されたコ字状断面に形成されており、
前記溝部に前記防煙垂壁用パネル本体をはめ込むことを特徴とする請求項１又は２に記載の湾曲形状防煙垂壁の形成方法。
【請求項４】
前記枠体は、ガラス長繊維と熱硬化性樹脂とによりなることを特徴とする請求項１〜３の何れか１項に記載の湾曲形状防煙垂壁の形成方法。
【請求項５】
湾曲形状防煙垂壁に用いられる湾曲形状防煙垂壁用パネルであって、
可撓性を有する枠体の一方の面にガラス繊維シートが取り付けられた防煙垂壁用パネル本体と、
前記防煙垂壁用パネル本体と分離可能な湾曲形状の外枠と、
を備えており、
平面形状の前記防煙垂壁用パネル本体を前記ガラス繊維シート側に凸形状に曲げ、当該防煙垂壁用パネル本体を前記外枠に取り付けられてなることを特徴とする湾曲形状防煙垂壁用パネル。
【請求項６】
請求項５に記載した湾曲形状防煙垂壁用パネルを設置場所に配置してなることを特徴とする湾曲形状防煙垂壁。
【発明の詳細な説明】
【技術分野】
【０００１】
この発明は、火災時などに発生する煙の流動を一時的に遮断する湾曲形状防煙垂壁の形成方法、湾曲形状防煙垂壁用パネル及び湾曲形状防煙垂壁に関する。
【背景技術】
【０００２】
一般的に、火災時などに発生する煙の流動を一時的に遮断する防煙垂壁には、平板状の板ガラスが用いられている。
【０００３】
近年、防煙垂壁にも意匠性が要求され、湾曲形状に施工することが望まれている。しかしながら、湾曲形状の板ガラスは割れやすいため、搬送時は厳重な梱包により破損防止措置を施さなければならず、輸送コストが高くなるという問題がある。しかも、湾曲形状の板ガラスは、一般に流通されておらず特注となるため、更にコストが高くなるという問題がある。
【０００４】
そこで、特許文献１では、板ガラスの代わりにガラス繊維シートを取り付けた湾曲形状のパネルを製造し、このパネルを施工現場に搬送し、複数のパネルを設置場所に配置するとともにガラス繊維シートに生じた皺を除去して、湾曲形状の防煙垂壁を形成している。
【先行技術文献】
【特許文献】
【０００５】
【特許文献１】特開２００６−３３５７７５号公報
【発明の概要】
【発明が解決しようとする課題】
【０００６】
しかしながら、特許文献１に記載の防煙垂壁では、搬送の問題は若干解決されたものの、湾曲形状の枠体にガラス繊維シートが取り付けられたパネルを現場に搬送して施工するものであるため、搬送時のパネルの嵩みにより、搬送コストが十分に低減できないという問題がある。しかも、枠体とガラス繊維シートとが一体となったパネルを搬送するため、搬送時に生じたガラス繊維シートの皺を除去するのが煩雑になるという問題がある。
【０００７】
そこで、本発明は、搬送コストを低減してガラス繊維シートに皺のない湾曲形状防煙垂壁を形成することができる湾曲形状防煙垂壁の形成方法、湾曲形状防煙垂壁用パネル及び湾曲形状防煙垂壁を提供することを目的とする。
【課題を解決するための手段】
【０００８】
本発明に係る湾曲形状防煙垂壁の形成方法は、可撓性を有する枠体の一方の面にガラス繊維シートが取り付けられた防煙垂壁用パネル本体と、湾曲形状の外枠と、を備える湾曲形状防煙垂壁用パネルを用いた湾曲形状防煙垂壁の形成方法であって、平面形状の前記防煙垂壁用パネル本体を前記ガラス繊維シート側に凸形状に曲げ、当該防煙垂壁用パネル本体を前記外枠に取り付けて前記湾曲形状防煙垂壁用パネルを形成し、前記湾曲形状防煙垂壁用パネルを前記湾曲形状防煙垂壁の設置場所に配置して、前記湾曲形状防煙垂壁を形成することを特徴とする。
【０００９】
本発明に係る湾曲形状防煙垂壁の形成方法によれば、湾曲形状防煙垂壁用パネルを構成する防煙垂壁用パネル本体と外枠とが分離されているため、外枠に取り付けられていない状態で防煙垂壁用パネル本体を搬送することができる。そして、防煙垂壁用パネル本体は、可撓性を有する枠体とガラス繊維シートとにより構成されているため、防煙垂壁用パネル本体を平面形状の状態で施工現場に搬送することができる。これにより、防煙垂壁用パネル本体の梱包効率を向上させることができるため、搬送コストを低減することができる。また、湾曲形状防煙垂壁用パネルを組み立てる際に、防煙垂壁用パネル本体をガラス繊維シート側に凸形状に曲げて外枠に取り付けるため、ガラス繊維シートに張力が作用してガラス繊維シートの皺が伸びる。しかも、枠体は、その特性上、元の形状に戻ろうとして凸形状に湾曲された一対の辺部を離間させようとする力が作用するため、この力によっても、ガラス繊維シートに張力が作用してガラス繊維シートの皺が伸びる。その結果、ガラス繊維シートに皺のない湾曲形状防煙垂壁を形成することができる。そして、施工現場において防煙垂壁用パネル本体を外枠に取り付けることができるため、設置場所の形状に応じた微調整を簡易に行うことができる。しかも、防煙垂壁用パネル本体はガラス繊維シートにより構成されているため、従来のガラス板により構成される湾曲形状防煙垂壁に比べると、施工時に割れたり欠けたりする危険性を大幅に低減することができる。加えて、防煙垂壁用パネル本体は様々な形状に変形させることができるため、例えば、湾曲形状の防煙垂壁と平面形状の防煙垂壁とを形成したい場合でも、同一の防煙垂壁用パネル本体を利用することができ、防煙垂壁用パネル本体の汎用性を格段に向上させることができる。
【００１０】
本発明に係る湾曲形状防煙垂壁の形成方法は、可撓性を有する枠体の一方の面にガラス繊維シートが取り付けられた防煙垂壁用パネル本体と、湾曲形状の外枠と、を備える湾曲形状防煙垂壁用パネルを用いた湾曲形状防煙垂壁の形成方法であって、前記外枠を前記湾曲形状防煙垂壁の設置場所に配置し、平面形状の前記防煙垂壁用パネル本体を前記ガラス繊維シート側に凸形状に曲げ、当該防煙垂壁用パネル本体を前記外枠に取り付けて前記湾曲形状防煙垂壁を形成することを特徴とする。
【００１１】
本発明に係る湾曲形状防煙垂壁の形成方法によれば、湾曲形状防煙垂壁用パネルを構成する防煙垂壁用パネル本体と外枠とが分離されているため、外枠に取り付けられていない状態で防煙垂壁用パネル本体を搬送することができる。そして、防煙垂壁用パネル本体は、可撓性を有する枠体とガラス繊維シートとにより構成されているため、防煙垂壁用パネル本体を平面形状の状態で施工現場に搬送することができる。これにより、防煙垂壁用パネル本体の梱包効率を向上させることができるため、搬送コストを低減することができる。また、湾曲形状防煙垂壁用パネルを組み立てる際に、防煙垂壁用パネル本体をガラス繊維シート側に凸形状に曲げて外枠に取り付けるため、ガラス繊維シートに張力が作用してガラス繊維シートの皺が伸びる。しかも、枠体は、その特性上、元の形状に戻ろうとして凸形状に湾曲された一対の辺部を離間させようとする力が作用するため、この力によっても、ガラス繊維シートに張力が作用してガラス繊維シートの皺が伸びる。その結果、ガラス繊維シートに皺のない湾曲形状防煙垂壁を形成することができる。そして、施工現場において防煙垂壁用パネル本体を外枠に取り付けることができるため、設置場所の形状に応じた微調整を簡易に行うことができる。しかも、防煙垂壁用パネル本体はガラス繊維シートにより構成されているため、従来のガラス板により構成される湾曲形状防煙垂壁に比べると、施工時に割れたり欠けたりする危険性を大幅に低減することができる。加えて、防煙垂壁用パネル本体は様々な形状に変形させることができるため、例えば、湾曲形状の防煙垂壁と平面形状の防煙垂壁とを形成したい場合でも、同一の防煙垂壁用パネル本体を利用することができ、防煙垂壁用パネル本体の汎用性を格段に向上させることができる。
【００１２】
これらの場合、外枠は、内側に向けて開口する溝部が形成されたコ字状断面に形成されており、前記溝部に前記防煙垂壁用パネル本体をはめ込むことが好ましい。このように、防煙垂壁用パネル本体を外枠の溝部にはめ込むことで、防煙垂壁用パネル本体を外枠に確実に保持させることができると共に、外枠に対する防煙垂壁用パネル本体の取り付け作業性を向上させることができる。
【００１３】
また、枠体は、ガラス長繊維と熱硬化性樹脂とによりなることが好ましい。このように、ガラス長繊維と熱硬化性樹脂とにより枠体を構成することで、枠体に適度な可撓性及び柔軟性を与えることができるため、外枠の形状に合わせて防煙垂壁用パネル本体を適切に屈曲させることができる。
【００１４】
本発明に係る湾曲形状防煙垂壁用パネルは、湾曲形状防煙垂壁に用いられる湾曲形状防煙垂壁用パネルであって、可撓性を有する枠体の一方の面にガラス繊維シートが取り付けられた防煙垂壁用パネル本体と、前記防煙垂壁用パネル本体と分離可能な湾曲形状の外枠と、を備えており、平面形状の前記防煙垂壁用パネル本体を前記ガラス繊維シート側に凸形状に曲げ、当該防煙垂壁用パネル本体を前記外枠に取り付けられてなることを特徴とする。
【００１５】
本発明に係る湾曲形状防煙垂壁用パネルによれば、防煙垂壁用パネル本体と外枠とが分離可能であるため、外枠に取り付けられていない状態で防煙垂壁用パネル本体を搬送することができる。そして、防煙垂壁用パネル本体は、可撓性を有する枠体とガラス繊維シートとにより構成されているため、防煙垂壁用パネル本体を平面形状の状態で施工現場に搬送することができる。これにより、防煙垂壁用パネル本体の梱包効率を向上させることができるため、搬送コストを低減することができる。そして、湾曲形状防煙垂壁用パネルは、防煙垂壁用パネル本体をガラス繊維シート側に凸形状に曲げて外枠に取り付けられるため、ガラス繊維シートに張力が作用してガラス繊維シートの皺が伸びる。しかも、枠体は、その特性上元の形状に戻ろうとして凸形状に湾曲された一対の辺部を離間させようとする力が作用するため、この力によっても、ガラス繊維シートに張力が作用してガラス繊維シートの皺が伸びる。その結果、ガラス繊維シートの皺の発生を防止することができるため、この湾曲形状防煙垂壁用パネルを配置することで、ガラス繊維シートに皺のない湾曲形状防煙垂壁を形成することができる。そして、施工現場において防煙垂壁用パネル本体を外枠に取り付けるため、設置場所の形状に応じた微調整を簡易に行うことができる。しかも、防煙垂壁用パネル本体はガラス繊維シートにより形成されているため、従来のガラス板により構成される湾曲形状防煙垂壁用パネルに比べると、施工時に割れたり欠けたりする危険性を大幅に低減することができる。
【００１６】
本発明に係る湾曲形状防煙垂壁は、上述した湾曲形状防煙垂壁用パネルを設置場所に配置してなることを特徴とする。
【００１７】
本発明に係る湾曲形状防煙垂壁によれば、湾曲形状防煙垂壁用パネルを構成する防煙垂壁用パネル本体と外枠とが分離されているため、外枠に取り付けられていない状態で防煙垂壁用パネル本体を搬送することができる。そして、防煙垂壁用パネル本体は、可撓性を有する枠体とガラス繊維シートとにより構成されているため、防煙垂壁用パネル本体を平面形状の状態で施工現場に搬送することができる。これにより、防煙垂壁用パネル本体の梱包効率を向上させることができるため、搬送コストを低減することができる。また、湾曲形状防煙垂壁用パネルを組み立てる際に、防煙垂壁用パネル本体をガラス繊維シート側に凸形状に曲げて外枠に取り付けるため、ガラス繊維シートに張力が作用してガラス繊維シートの皺が伸びる。しかも、枠体は、その特性上元の形状に戻ろうとして凸形状に湾曲された一対の辺部を離間させようとする力が作用するため、この力によっても、ガラス繊維シートに張力が作用してガラス繊維シートの皺が伸びる。その結果、ガラス繊維シートに皺のない湾曲形状防煙垂壁を形成することができる。そして、施工現場において防煙垂壁用パネル本体を外枠に取り付けることができるため、設置場所の形状に応じた微調整を簡易に行うことができる。しかも、防煙垂壁用パネル本体はガラス繊維シートにより構成されているため、従来のガラス板により構成される湾曲形状防煙垂壁に比べると、施工時に割れたり欠けたりする危険性を大幅に低減することができる。
【発明の効果】
【００１８】
本発明によれば、搬送コストを低減してガラス繊維シートに皺のない湾曲形状防煙垂壁を形成することができる。
【図面の簡単な説明】
【００１９】
【図１】本実施形態に係る湾曲形状防煙垂壁を示す斜視図である。
【図２】防煙垂壁用パネルを示す斜視図である。
【図３】図２に示すＩＩＩ−ＩＩＩ線断面図である。
【図４】防煙垂壁用パネル本体を示す斜視図である。
【図５】図４に示すＶ−Ｖ線断面図である。
【図６】外枠を示す斜視図である。
【図７】図６に示すＶＩＩ−ＶＩＩ線断面図である。
【図８】外枠の分解斜視図である。
【図９】湾曲形状防煙垂壁用パネルの形成方法を示す図である。
【図１０】第２の実施形態で用いる外枠を示す斜視図である。
【図１１】図１０に示すＸＩ−ＸＩ線断面図である。
【図１２】湾曲形状防煙垂壁用パネルの形成方法を示す図である。
【図１３】第３の実施形態で用いる湾曲形状防煙垂壁用パネル本体を示す斜視図である。
【図１４】図１３に示すＸＩＶ−ＸＩＶ線断面図である。
【発明を実施するための形態】
【００２０】
以下、図面を参照して、本発明に係る湾曲形状防煙垂壁の形成方法、湾曲形状防煙垂壁用パネル及び湾曲形状防煙垂壁の好適な実施形態について詳細に説明する。なお、全図中、同一または相当部分には同一符号を付し、重複する説明を省略する。
【００２１】
［第１実施形態］
図１は、本実施形態に係る湾曲形状防煙垂壁を示す斜視図である。なお、図１では、便宜上、天井面及び壁面の図示を省略している。図１に示すように、湾曲形状防煙垂壁１は、全体的に湾曲形状に形成されており、天井面から垂直方向に向けて垂下されるとともに、天井面に沿って水平方向に延在している。このため、湾曲形状防煙垂壁１は、レール２と、端部方立３と、中間方立４と、パネルジョイント５と、湾曲形状防煙垂壁用パネル６とにより構成される。なお、以下の説明では、湾曲形状防煙垂壁１が垂下する鉛直方向を、上下方向とも称し、湾曲形状防煙垂壁１が延在する水平方向を、左右方向とも称する。
【００２２】
レール２は、天井面（不図示）に固定されて湾曲形状防煙垂壁用パネル６を垂下するものである。このため、レール２は、湾曲形状防煙垂壁１と天井面との間に配置されて、湾曲形状防煙垂壁１の形状に沿った湾曲形状（曲線状）に形成されている。
【００２３】
端部方立３は、湾曲形状防煙垂壁用パネル６を壁面（不図示）に取り付けるものである。このため、端部方立３は、湾曲形状防煙垂壁用パネル６と壁面との間に配置されて、鉛直方向に延びる直線状に形成されている。
【００２４】
中間方立４は、隣接する湾曲形状防煙垂壁用パネル６を連結固定するものである。このため、中間方立４は、隣接する湾曲形状防煙垂壁用パネル６の間に配置されて、鉛直方向に延びる直線状に形成されている。
【００２５】
パネルジョイント５は、中間方立４により連結固定された隣接する湾曲形状防煙垂壁用パネル６を下面から支持して連結固定するものである。このため、パネルジョイント５は、中間方立４の下端に配置されて、水平方向に延びる曲線状に形成されている。
【００２６】
湾曲形状防煙垂壁用パネル６は、レール２に垂下されるとともに、端部方立３、中間方立４及びパネルジョイント５により連結固定される、パネル状部材である。
【００２７】
図２は、防煙垂壁用パネルを示す斜視図であり、図３は、図２に示すＩＩＩ−ＩＩＩ線断面図である。図２及び図３に示すように、湾曲形状防煙垂壁用パネル６は、湾曲形状に形成されており、防煙垂壁用パネル本体１０と、外枠２０とにより構成されている。
【００２８】
図４は、防煙垂壁用パネル本体を示す斜視図であり、図５は、図４に示すＶ−Ｖ線断面図である。図４及び図５に示すように、防煙垂壁用パネル本体１０は、枠体１１と、ガラス繊維シート１２とにより構成されている。
【００２９】
枠体１１は、ガラス繊維シート１２を支持する枠であり、可撓性、柔軟性及び弾性（形状弾性）を有して変形可能に構成されている。枠体１１は、矩形（矩形環）の枠状に形成されている。この枠体１１は、左右方向に直線状に延在して上下方向に対向する一対の横枠部１１ａ，１１ｂと、上下方向に直線状に延在して左右方向に対向する一対の縦枠部１１ｃ，１１ｄと、により構成されており、一対の横枠部１１ａ，１１ｂと一対の縦枠部１１ｃ，１１ｄは、互いに端部で接続されている。このため、枠体１１は、自然状態で平面状に形成されている。
【００３０】
このように形成される枠体１１は、主にガラス長繊維と、このガラス長繊維に樹脂を含浸及び硬化させて形成した熱硬化性樹脂と、により構成されている。
【００３１】
枠体１１全体に対するガラス長繊維の割合は、５０〜８０重量％とする。より好ましくは、６０〜７０重量％とする。ガラス長繊維の形態は、引き抜き成型などに使用される連続したガラス長繊維が好ましく、ロービングや、組布や、マットなどがより好ましい。ガラス繊維の組成としては、汎用の無アルカリ性ガラス繊維（Ｅガラス）、耐酸性の含アルカリガラス繊維、高強度・高弾性率ガラス繊維（Ｓガラス、Ｔガラス）、耐アルカリ性ガラス繊維（ＡＲガラス）などが挙げられるが、汎用性の高い無アルカリ性ガラス繊維（Ｅガラス）の使用が好ましい。
【００３２】
枠体１１を構成する熱硬化性樹脂としては、ビニルエステル樹脂、不飽和ポリエステル樹脂、フェノール樹脂などが挙げられるが、耐熱性、耐薬品性、機械的強度、効果特性に優れている点で、ビニルエステル樹脂がより好ましい。なお、この熱硬化性樹脂には、低収縮材として熱可塑性ポリマーを添加してもよい。この場合、熱可塑性ポリマーの割合は、熱硬化性樹脂に対して３％程度とするのが好ましい。
【００３３】
このようにガラス長繊維と熱硬化性樹脂とにより構成される枠体１１は、一般的な引き抜き成型により成型することができる。そして、枠体１１の寸法は、厚さ×幅×長さ＝（４〜６ｍｍ）×（１５〜１８ｍｍ）×（可搬容易な長さ）の矩形環の枠状とするのが好ましい。
【００３４】
そして、このように構成される枠体１１の一方の面に、ガラス繊維シート１２が取り付けられている。枠体１１に対するガラス繊維シート１２の取り付けは、例えば、接着剤（粘着材を含む）による接着や、螺子を用いた螺着などにより行うことができるが、施工性や作業性に鑑みて接着剤による接着が好ましく、両面テープを用いた接着により行うのが更に好ましい。なお、以下の説明では、ガラス繊維シート１２が取り付けられる一方の面を表面とし、この表面の反対の面を裏面とし、表面と裏面とに連結される外側の面を周側面とする。
【００３５】
ガラス繊維シート１２は、ガラス繊維織物に樹脂を含浸させてシート状に形成したものである。
【００３６】
このガラス繊維シート１２は、可撓性、柔軟性及び弾性（形状弾性）を有して変形可能に形成されたものであり、優れた透明性及び不燃性を有するものである。このガラス繊維シート１２は、全光線透過率が８０％以上、且つ、ヘーズが３０％以下であることが好ましく、全光線透過率が８５％以上、且つ、ヘーズが２０％以下であることが更に好ましい。このガラス繊維シート１２は、例えば、日東紡績株式会社製のダンスモーク（日東紡績株式会社の登録商標）が好ましい。ガラス繊維シート１２は、ガラス繊維織物と、このガラス繊維織物に樹脂を含浸及び硬化させた樹脂被覆層とにより構成されている。
【００３７】
ガラス繊維シート１２を構成するガラス繊維織物は、ガラス繊維シート１２の基布となる材料である。このガラス繊維織物の織組織としては、平織、朱子織、綾織、斜子織、畦織などが挙げられ、平織、朱子織、畦織が好ましい。ガラス繊維織物中の隣接する経糸の間の隙間及び隣接する緯糸の間の隙間は、共に０．５ｍｍ以下が好ましく、０．２ｍｍ以下が更に好ましい。
【００３８】
このガラス繊維織物を構成するガラス繊維糸の番手は、５〜７０ｔｅｘが好ましく、１０〜３５ｔｅｘが更に好ましい。このガラス繊維糸に含まれるフィラメント（ガラス繊維）の直径は、１〜２０μｍが好ましく、３〜１２μｍが更に好ましい。このフィラメント（ガラス繊維）の組成としては、汎用の無アルカリ性ガラス繊維（Ｅガラス）、耐酸性の含アルカリガラス繊維、高強度・高弾性率ガラス繊維（Ｓガラス、Ｔガラス）、耐アルカリ性ガラス繊維（ＡＲガラス）などが挙げられるが、汎用性の高い無アルカリ性ガラス繊維（Ｅガラス）の使用が好ましい。
【００３９】
そして、これらガラス組成物の屈折率は、含浸に用いる樹脂の屈折率との差が±０．０２以下となるように選定する。なお、樹脂側の屈折率を所望のように選定できれば、ガラス組成物として如何なる屈折率のものを選定してもよい。ガラス組成物としては、例えば、屈折率が１．４〜１．７程度のものが好ましく、１．５〜１．６のものが更に好ましい。無アルカリ性ガラス繊維（Ｅガラス）を用いた場合には、屈折率は１．５５〜１．５７程度となる。
【００４０】
なお、ガラス繊維織物は、１種類のガラス繊維で織られていてもよく、２種類以上のガラス繊維で織られていてもよい。例えば、経糸と緯糸とはガラス繊維の組成が同じであり、ガラス繊維の番手が異なっていてもよい。
【００４１】
そして、このように構成されるガラス繊維織物には、ガラス繊維シート１２の耐久性を向上させるために、ガラス繊維処理剤で表面処理するのが好ましい。このガラス繊維処理剤は、例えば、通常使用されるシランカップリング剤が好ましい。このようにガラス繊維処理剤で表面処理することで、ガラス繊維織物と硬化した樹脂とを良好に接合させることができる。
【００４２】
ガラス繊維シート１２を構成する樹脂被覆層は、ガラス繊維織物を被覆する樹脂であり、ガラス繊維織物のガラス繊維間の隙間に入り込んで表裏両面の表層に形成される樹脂層である。
【００４３】
この樹脂被覆層の材質は、その屈折率が、ガラス繊維織物のガラス組成物の屈折率との差が±０．０２以下となるように選定する。このように、ガラス繊維織物と樹脂被覆層との屈折率の差を±０．０２以下として十分小さくすることで、樹脂被覆層の中でガラス繊維織物が視認できなくなる。これにより、ガラス繊維織物と樹脂被覆層とで形成されたガラス繊維シート１２を透明にして、全光線透過率を十分に高くすることができる。
【００４４】
樹脂被覆層を構成する樹脂としては、ビニルエステル樹脂、不飽和ポリエステル樹脂、フェノール樹脂などが挙げられるが、耐熱性、耐薬品性、機械的強度、効果特性に優れている点で、ビニルエステル樹脂がより好ましい。そして、この樹脂被覆層として、上記樹脂に、難燃剤、紫外線吸収剤、充填剤、帯電防止剤などの添加物を含めるのが好ましい。難燃剤としては、例えば、水酸化アルミニウム、水酸化マグネシウム、トリクロロエチルホスフェート、トリアリルホスフェート、ポリリン酸アンモニウム、リン酸エステルなどが挙げられる。紫外線吸収剤としては、例えば、ベンゾトリアゾールなどが挙げられる。充填剤としては、例えば、炭酸カルシウム、シリカ、タルクなどが挙げられる。帯電防止剤としては、例えば、界面活性剤が挙げられる。これらの添加物は粒子形状であってもよく、粒子の場合には粒径が１０μｍ以下であることが好ましく、５μｍ以下であることが更に好ましい。粒径が小さいと、全光線透過率が向上し、ヘーズが低下する。
【００４５】
そして、ガラス繊維シート１２におけるガラス繊維織物と樹脂被覆層の割合は、ガラス繊維織物が２０〜７０重量％、樹脂被覆層が８０〜３０重量％とする。ガラス繊維織物が２０重量％未満の場合には、ガラス繊維シート１２における樹脂量が多くなり、得られるガラス繊維シート１２の不燃性が低下する。一方、ガラス繊維織物が７０重量％を超える場合には、得られるガラス繊維シート１２の表層における樹脂量が少なくなり、ガラス繊維織物の模様の浮き出しや、樹脂被覆層の含浸不良による白化や、透明性の低下などが生じる場合がある。
【００４６】
ガラス繊維シート１２の単位面積当たりのガラス繊維織物の質量は、ガラス繊維シート１２の強度、耐久性や樹脂の含浸性などを考慮して定めるものであり、例えば、１０〜３００ｇ／ｍ２程度とするのが好ましい。特に、ガラス繊維織物の強度及び耐久性や、ガラス繊維織物への樹脂の含浸性を向上させるために、ガラス繊維織物の質量を２０〜３００ｇ／ｍ２とすると更に好ましい。ガラス繊維織物の質量を２０ｇ／ｍ２以上とすることで、ガラス繊維シート１２の強度を十分に高めることができる。ガラス繊維織物の質量を３００ｇ／ｍ２以下とすることで、ガラス繊維シート１２の単位面積あたりのガラス繊維織物の割合を少なくして、ガラス繊維織物の隙間を十分に増やし、樹脂の含浸不良を防止することができる。なお、ガラス繊維シート１２の単位面積あたりのガラス繊維織物の質量を１５０ｇ／ｍ２以上にする場合には、厚めのガラス繊維織物を１枚用いてもよく、薄めのガラス繊維織物を複数枚用いてもよい。含浸性を向上させる観点からは、薄めのガラス繊維織物を複数枚用いることが好ましい。
【００４７】
ガラス繊維シート１２の単位面積当たりの樹脂被覆層の質量は、１０〜５００ｇ／ｍ２程度とするのが好ましい。樹脂被覆層の質量を１０ｇ／ｍ２以上とすることで、ガラス繊維織物の模様の浮き出しや、樹脂被覆層の含浸不良による白化などの発生を防止することができる。また、樹脂被覆層の質量を５００ｇ／ｍ２以下とすることで、ガラス繊維シート１２における比較的燃えやすい部分である樹脂の割合を低く抑えて、ガラス繊維シート１２を難燃性に優れたものとすることができる。
【００４８】
また、ガラス繊維織物中のガラス繊維を構成するガラス組成物と樹脂被覆層とのアッベ数の差が３０以下となるように、樹脂被覆層を形成する樹脂の材質を選定することが好ましい。アッベ数の差を３０以下に抑えることで、ガラス繊維織物と樹脂被覆層の界面で、可視光領域の散乱を少なくして、当該界面における着色を抑えることができる。なお、ガラス組成物のアッベ数は、特に制限されないが、例えば、３５〜７５の範囲であることが好ましく、５０〜７０の範囲であることが更に好ましい。
【００４９】
図６は、外枠を示す斜視図であり、図７は、図６に示すＶＩＩ−ＶＩＩ線断面図であり、図８は、外枠の分解斜視図である。図６〜図８に示すように、外枠２０は、湾曲形状に形成されて、防煙垂壁用パネル本体１０を保持するものである。この外枠２０は、金属材で形成されており、加工性に優れるアルミ材により形成されるのが好ましい。そして、外枠２０は、上下一対の横枠部２０ａ，２０ｂと、左右一対の縦枠部２０ｃ，２０ｄとにより構成されている。
【００５０】
横枠部２０ａ，２０ｂは、防煙垂壁用パネル本体１０を上下方向から挟み込んで保持するものである。この横枠部２０ａ，２０ｂは、左右方向に延びて、レール２と同形の湾曲形状（曲線状）に形成されている。そして、横枠部２０ａ，２０ｂは、対向配置されており、内側に向けて開口した溝部２１ａ，２１ｂを有するコ字状断面に形成されている。
【００５１】
縦枠部２０ｃ，２０ｄは、防煙垂壁用パネル本体１０を左右方向から挟み込んで保持するものである。この縦枠部２０ｃ，２０ｄは、横枠部２０ａ，２０ｂに直交する上下方向に延びる直線状に形成されている。そして、縦枠部２０ｃ，２０ｄは、対向配置されており、内側に向けて開口した溝部２１ｃ，２１ｄを有するコ字状断面に形成されている。
【００５２】
そして、外枠２０は、横枠部２０ａ，２０ｂの端部と縦枠部２０ｃ，２０ｄの端部とが連結されることにより矩形の枠状に組み立てられる。
【００５３】
このように構成される防煙垂壁用パネル本体１０と外枠２０とにより構成される湾曲形状防煙垂壁用パネル６は、図２及び図３に示すように、防煙垂壁用パネル本体１０が曲げられた状態で外枠２０の溝部２１ａ〜２１ｄにはめ込まれて、湾曲形状に形成されている。
【００５４】
次に、図９を参照して、本実施形態に係る湾曲形状防煙垂壁１の形成方法について説明する。図９は、湾曲形状防煙垂壁用パネルの形成方法を示す図である。
【００５５】
まず、現場施工に先立ち、工場などにおいて、防煙垂壁用パネル本体１０を形成する。防煙垂壁用パネル本体１０の形成は、枠体１１の表面にガラス繊維シート１２を取り付けることにより行う。枠体１１に対するガラス繊維シート１２の取り付けは、上述したように、枠体１１とガラス繊維シート１２との間に両面テープを貼付して、枠体１１にガラス繊維シート１２を固定する。
【００５６】
このとき、ガラス繊維シート１２に張力がかかるように、ガラス繊維シート１２を枠体１１に貼付固定する。ガラス繊維シート１２は、枠体１１の表面にのみ配置して固定してもよく、枠体１１の周側面や裏面まで回り込ませた状態に配置して固定してもよい。なお、湾曲形状防煙垂壁１を形成するために防煙垂壁用パネル本体１０を湾曲形状に曲げることを考えると、ガラス繊維シート１２を枠体１１の周側面や裏面まで回り込ませた状態に配置して固定するのが好ましい。
【００５７】
次に、工場などで形成した防煙垂壁用パネル本体１０と、外枠２０と、レール２と、端部方立３と、中間方立４と、パネルジョイント５とを、それぞれ必要な数だけ梱包し、湾曲形状防煙垂壁１を設置する施工現場に搬送する。このとき、外枠２０は、横枠部２０ａ，２０ｂ及び縦枠部２０ｃ，２０ｄを組み立てた状態で搬送してもよく、横枠部２０ａ，２０ｂ及び縦枠部２０ｃ，２０ｄを分解した状態で搬送してもよい。
【００５８】
次に、図９（ａ）に示すように、施工現場において、工場などから搬送された防煙垂壁用パネル本体１０を、ガラス繊維シート１２側に凸形状に曲げて（撓ませて）湾曲形状に変形させる。すると、枠体１１に取り付けられたガラス繊維シート１２が引っ張られて、ガラス繊維シート１２に生じている皺が伸ばされる。このとき、防煙垂壁用パネル本体１０の枠体１０は、矩形環状に形成されているため、その特性上、元の形状に戻ろうとして凸形状に湾曲された一対の横枠部１１ａ，１１ｂを離間させようとする力が作用するため、この力によっても、ガラス繊維シート１２に張力が作用してガラス繊維シート１２に生じている皺が伸ばされる。
【００５９】
次に、図９（ｂ）に示すように、湾曲形状に変形された防煙垂壁用パネル本体１０を外枠２０にはめ込む。外枠２０に対する防煙垂壁用パネル本体１０の嵌め込みは、横枠部２０ａ，２０ｂの溝部２１ａ，２１ｂを防煙垂壁用パネル本体１０の左右端部にはめるとともに、縦枠部２０ｃ，２０ｄの溝部２１ｃ，２１ｄを防煙垂壁用パネル本体１０の上部端部にはめる。そして、横枠部２０ａ，２０ｂの両端部と縦枠部２０ｃ，２０ｄの両端部とをビス止めなどにより結合する。
【００６０】
このようにして、防煙垂壁用パネル本体１０が外枠２０にはめ込まれると、図１０（ｃ）に示すように、防煙垂壁用パネル本体１０と外枠２０とにより構成される湾曲形状防煙垂壁用パネル６が形成される。
【００６１】
その後、湾曲形状防煙垂壁１の設置を行う。湾曲形状防煙垂壁１の配置では、まず、レール２を天井面にビス止めすると共に、端部方立３を側壁面にビス止めする。
【００６２】
次に、天井に取り付けられたレール２に複数枚の湾曲形状防煙垂壁用パネル６をビス止めする。また、レール２に中間方立４をビス止めし、この中間方立４を介して隣接する湾曲形状防煙垂壁用パネル６を連結する。そして、中間方立４の下端にパネルジョイント５をビス止めし、このパネルジョイント５で隣接する湾曲形状防煙垂壁用パネル６を下面から支持して連結固定する。更に、左右端部の湾曲形状防煙垂壁用パネル６は、端部方立３にもビス止めする。
【００６３】
そして、レール２、端部方立３、中間方立４及びパネルジョイント５により複数枚の湾曲形状防煙垂壁用パネル６が配置固定されると、湾曲形状防煙垂壁１の設置が終了する。
【００６４】
このように、本実施形態によれば、湾曲形状防煙垂壁用パネル６を構成する防煙垂壁用パネル本体１０と外枠２０とが分離されているため、外枠２０に取り付けられていない状態で防煙垂壁用パネル本体１０を搬送することができる。そして、防煙垂壁用パネル本体１０は、可撓性を有する枠体１１とガラス繊維シート１２とにより構成されているため、防煙垂壁用パネル本体１０を平面形状の状態で施工現場に搬送することができる。これにより、防煙垂壁用パネル本体１０の梱包効率を向上させることができるため、搬送コストを低減することができる。また、湾曲形状防煙垂壁用パネル６を組み立てる際に、防煙垂壁用パネル本体１０をガラス繊維シート１２側に凸形状に曲げて外枠２０に取り付けるため、ガラス繊維シート１２に張力が作用してガラス繊維シート１２の皺が伸びる。しかも、枠体１１は、その特性上、元の形状に戻ろうとして凸形状に曲げられた一対の横枠部１１ａ，１１ｂが離間しようとする力が作用するため、この力によっても、ガラス繊維シート１２に張力が作用してガラス繊維シート１２の皺が伸びる。その結果、ガラス繊維シート１２に皺のない湾曲形状防煙垂壁１を形成することができる。そして、施工現場において防煙垂壁用パネル本体１０を外枠２０に取り付けることができるため、設置場所の形状に応じた微調整を簡易に行うことができる。しかも、防煙垂壁用パネル本体１０はガラス繊維シート１２により構成されているため、従来のガラス板により構成される湾曲形状防煙垂壁に比べると、施工時に割れたり欠けたりする危険性を大幅に低減することができる。加えて、防煙垂壁用パネル本体１０は様々な形状に変形させることができるため、例えば、湾曲形状の防煙垂壁と平面形状の防煙垂壁とを形成したい場合でも、同一の防煙垂壁用パネル本体１０を利用することができ、防煙垂壁用パネル本体１０の汎用性を格段に向上させることができる。
【００６５】
そして、防煙垂壁用パネル本体１０を外枠２０の溝部２１ａ〜２１ｄにはめ込むことで、防煙垂壁用パネル本体１０を外枠に２０に確実に保持させることができると共に、外枠２０に対する防煙垂壁用パネル本体１０の取り付け作業性を向上させることができる。
【００６６】
また、枠体１１をガラス長繊維と熱硬化性樹脂とにより構成することで、枠体１１に適度な可撓性及び柔軟性を与えることができるため、外枠２０の形状に合わせて防煙垂壁用パネル本体１０を適切に屈曲させることができる。
【００６７】
［第２実施形態］
次に、第２の実施形態について説明する。第２の実施形態は、基本的に第１の実施形態と同様であり、湾曲形状防煙垂壁パネルを構成する外枠の形状が第１の実施形態と相違する。このため、以下では、第１の実施形態と相違する点のみ説明し、第１の実施形態と同じ点の説明を省略する。
【００６８】
図１０は、第２の実施形態で用いる外枠を示す斜視図であり、図１１は、図１０に示すＸＩ−ＸＩ線断面図である。図１０に示すように、第２の実施形態で用いる外枠３０は、湾曲形状に形成されて、防煙垂壁用パネル本体１０を保持するものである。この外枠３０は、金属材で形成されており、加工性に優れるアルミ材により形成されるのが好ましい。そして、外枠３０は、外枠３０の一方の面から湾曲形状防煙垂壁用パネル６がはめ込めるように、Ｌ字状断面に形成されている。なお、図１０及び図１１では、外枠３０の凹面側に開口したＬ字状断面となっているが、外枠３０の凸面側に開口したＬ字状断面であってもよい。
【００６９】
次に、図１２を参照して、湾曲形状防煙垂壁用パネルの形成方法について説明する。図１２は、湾曲形状防煙垂壁用パネルの形成方法を示す図である。
【００７０】
まず、第１の実施形態と同様に、現場施工に先立ち、工場などにおいて、防煙垂壁用パネル本体１０を形成する。
【００７１】
次に、工場などで形成した防煙垂壁用パネル本体１０と、外枠３０と、レール２と、端部方立３と、中間方立４と、パネルジョイント５とを、それぞれ必要な数だけ梱包し、湾曲形状防煙垂壁１を設置する施工現場に搬送する。
【００７２】
次に、レール２を天井面にビス止めし、端部方立３を側壁面にビス止めする。
【００７３】
次に、図１２（ａ）に示すように、天井面にビス止めされたレール２に外枠３０をビス止めする。なお、図１２では、天井面及びレール２の図示を省略している。また、レール２に中間方立４をビス止めし、この中間方立４を介して隣接する外枠３０を連結する。そして、中間方立４の下端にパネルジョイント５をビス止めし、このパネルジョイント５で隣接する外枠３０を下面から支持して連結固定する。更に、左右端部の外枠３０は、端部方立３にもビス止めする。
【００７４】
レール２、端部方立３、中間方立４及びパネルジョイント５により複数枚の外枠３０が配置固定されると、図１２（ｂ）に示すように、防煙垂壁用パネル本体１０をガラス繊維シート１２側に凸形状に曲げて（撓ませて）湾曲形状に変形させる。すると、枠体１１に取り付けられたガラス繊維シート１２が引っ張られて、ガラス繊維シート１２に生じている皺が伸ばされる。このとき、防煙垂壁用パネル本体１０の枠体１０は、矩形環状に形成されているため、その特性上、元の形状に戻ろうとして凸形状に湾曲された一対の横枠部１１ａ，１１ｂを離間させようとする力が作用するため、この力によっても、ガラス繊維シート１２に張力が作用してガラス繊維シート１２に生じている皺が伸ばされる。
【００７５】
次に、図１２（ｃ）に示すように、湾曲形状に変形された防煙垂壁用パネル本体１０を配置固定された外枠３０にはめ込む。外枠３０に対する防煙垂壁用パネル本体１０の嵌め込みは、外枠３０の一方の面から防煙垂壁用パネル本体１０を挿入することにより行う。そして、外枠３０と防煙垂壁用パネル本体１０とをビス止めする。
【００７６】
そして、全ての外枠３０に防煙垂壁用パネル本体１０がはめ込まれて固定されると、湾曲形状防煙垂壁１の設置が終了する。
【００７７】
このように、外枠の断面形状を変えても、第１の実施形態と同様に湾曲形状防煙垂壁を形成することができる。
【００７８】
そして、外枠をＬ字状断面に形成することで、外枠３０の一方の面から防煙垂壁用パネル本体１０を挿入するだけで、外枠３０に防煙垂壁用パネル本体１０をはめ込むことができるため、湾曲形状防煙垂壁用パネル６を容易に形成することができる。
【００７９】
［第３実施形態］
次に、第３の実施形態について説明する。第３の実施形態は、基本的に第１の実施形態と同様であり、湾曲形状防煙垂壁パネル用本体に間隔調整手段が取り付けられている点のみ第１の実施形態と相違する。このため、以下では、第１の実施形態と相違する点のみ説明し、第１の実施形態と同じ点の説明を省略する。
【００８０】
図１３は、第３の実施形態で用いる湾曲形状防煙垂壁用パネル本体を示す斜視図であり、図１４は、図１３に示すＸＩＶ−ＸＩＶ線断面図である。図１３及び図１４に示すように、第３の実施形態で用いる湾曲形状防煙垂壁用パネル本体４０は、枠体１１と、ガラス繊維シート１２と、複数の間隔調整支柱４１と、により構成されている。
【００８１】
枠体１１には、横枠部１１ａ，１１ｂの対向する位置に、間隔調整支柱４１が挿入される穴が形成されている。そして、横枠部１１ａに設けられた穴と横枠部１１ｂに設けられた穴とには、互いに逆方向に向いた雌ねじが刻設されている。
【００８２】
間隔調整支柱４１は、枠体１１を上下方向に伸縮させるものである。間隔調整支柱４１は、細長い円柱状に形成されており、その上端部及び下端部には、互いに逆方向を向いた雄ねじが刻設されている。そして、各間隔調整支柱４１は、その上端部及び下端部が枠体１１の横枠部１１ａ，１１ｂに形成された穴にねじ込まれている。
【００８３】
このように構成される防煙垂壁用パネル本体１０では、間隔調整支柱４１を回転させると、間隔調整支柱４１に刻設された雄ねじと横枠部１１ａ，１１ｂに刻設された雌ねじとの噛合いにより、横枠部１１ａと横枠部１１ｂとの間隔が変化する。そして、間隔調整支柱４１を回転させて、横枠部１１ａと横枠部１１ｂとの間隔を広げることで、枠体１１に取り付けられたガラス繊維シート１２が引っ張られて、ガラス繊維シート１２に生じた皺を簡易に伸ばすことができる。
【００８４】
なお、間隔調整支柱４１の回転は、間隔調整支柱４１を直接回転させることにより行ってもよく、横枠部１１ａ，１１ｂに形成された各穴にドライバーなどの工具を挿入し、これらの工具により間隔調整支柱４１を回転させることにより行ってもよい。
【実施例１】
【００８５】
次に、本発明の実施例について説明する。
【００８６】
［実施例１，２］
実施例１は、下記条件により作成した湾曲形状防煙垂壁用パネル本体を用いて、第１の実施形態に係る方法により湾曲形状防煙垂壁を形成した。
【００８７】
実施例２は、下記条件により作成した湾曲形状防煙垂壁用パネル本体を用いて、第２の実施形態に係る方法により湾曲形状防煙垂壁を形成した。
〈枠体の作成〉
【００８８】
下記条件により、寸法が厚さ×幅×長さ＝５ｍｍ×１７ｍｍ×２０００ｍｍの長尺の成型品を得て、所定長さに切断すると共にその両端をビス止めして、外径寸法が１５００ｍｍ×５００ｍｍの枠体を作成した。
・ガラス長繊維：無アルカリ性ガラス繊維（Ｅガラス）のロービング
・熱硬化性樹脂：ビニルエステル樹脂
・ガラスコンテント（Ｇｃ）：６５重量％
・引き抜き成型速度（Ｌｓｐ）：１ｍ／ｍｉｎ
・硬化温度：１００〜１５０℃
〈ガラス繊維シートの作成〉
（１）ガラス繊維織物の作成
【００８９】
ガラス繊維織物は、「日東紡績株式会社製：商品名ダンスモーク（日東紡績株式会社の登録商標）」を用いた。このダンスモークは、ガラス繊維、ＥＣＥ２２５を経糸、緯糸として織ったものであり、６０本の経糸が２５ｍｍに含まれ、５８本の緯糸が２５ｍｍに含まれる。ガラス繊維織物の重量は、１０５ｇ／ｍ２であり、厚さは０．０９５ｍｍである。ガラス繊維、ＥＣＥ２２５は、無アルカリ性ガラス繊維（Ｅガラス）からなり、フィラメント直径は約７μｍである。
（２）樹脂被覆層の作成
【００９０】
樹脂被覆層は、ビニルエステル樹脂を用いた。このビニルエステル樹脂は、「昭和高分子株式会社：商品名ＳＳＰ５０−Ｃ０６、１００重量部」と、「化薬アクゾ株式会社：商品名パーカドックスＰ１６、０．５重量部」と、「日本油脂株式会社：商品名パーキュアＨＯ、０．５重量部」とをスターラーを用いて約２０分間攪拌した。そして、得られた混合物を約３０分間真空下に放置することにより脱気して、未硬化の樹脂組成物を得た。
（３）ガラス繊維織物と樹脂被覆層とによるガラス繊維シートの作成
【００９１】
上述したガラス繊維織物と樹脂被覆層とによりガラス繊維シートを作成した。具体的には、樹脂組成物を、厚さ２５μｍのポリエチレンテレフタレートフィルムに、塗布量９２ｇ／ｍ２、３００ｇ／ｍ２で塗布した。この塗布した樹脂組成物上にガラス繊維織物を乗せ、更にその上からローラをかけて圧力を付与し、ガラス繊維織物に樹脂組成物を含浸させた。次に、これらの積層体を２枚のアルミ枠で挟み、８０℃の温風乾燥機の中に入れて３０分間放置し、樹脂組成物を硬化させた。その後、温風乾燥機からアルミ枠で挟んだ積層体を取り出し、アルミ枠を外して２枚のポリエチレンテレフタレートフィルムを剥して、ガラス繊維シートを得た。
（４）湾曲形状防煙垂壁用パネル本体の作成
【００９２】
枠体とガラス繊維シートとを両面テープを用いて貼り合わせて、湾曲形状防煙垂壁用パネル本体を作成した。
【００９３】
［比較例］
比較例は、アルミ製の湾曲形状の枠体にガラス繊維シートをはめ込んだ湾曲形状防煙垂壁用パネル本体を工場で作成し、この作成した湾曲形状防煙垂壁用パネル本体を施工現場に搬送した。そして、施工現場では、湾曲形状防煙垂壁用パネル本体の組立てを除き、第１の実施形態に係る方法により湾曲形状防煙垂壁を形成した。なお、比較例では、湾曲形状防煙垂壁用パネル本体として、間隔調整支柱を設けたものを使用した。
【００９４】
なお、実施例１、実施例２、比較例の主要条件を表１に示す。
【表１】
2011021350.tif 000003
【００９５】
［評価１］
施工現場への搬送について実施例１、実施例２、比較例を評価した。その結果、比較例は、湾曲形状防煙垂壁用パネル本体が湾曲形状であるため、嵩張ってしまい、搬送が大変で輸送コストも高かった。これに対し、実施例１及び実施例２は、湾曲形状防煙垂壁用パネル本体が平面形状であるため、纏めて梱包しても嵩張らず、搬送は楽で輸送コストも安かった。
【００９６】
［評価２］
湾曲形状防煙垂壁を形成する際の作業性と、湾曲形状防煙垂壁の外観について評価した。評価結果を表２に示す。
【表２】
2011021350.tif 000004
【００９７】
表２に示すように、引用例では、枠体にガラス繊維シートが取り付けられた状態で防煙垂壁用パネル本体を施工現場に搬送したため、搬送時の振動などによりガラス繊維シートに皺が生じた。このため、湾曲形状防煙垂壁用パネルの配置後に、間隔調整支柱の調整によりガラス繊維シートの皺を除去する作業が必要になり、面倒であった。しかも、枠体が硬質なアルミ製であるため、枠体と外枠との僅かな寸法誤差などにより、湾曲形状防煙垂壁用パネル本体を外枠にはめ込むのに手間取った。これに対し、実施例１及び実施例２では、施工現場において、平面形状の防煙垂壁用パネル本体をガラス繊維シート側に凸形状に曲げて枠体に取り付けることにより、ガラス繊維シートに適度な張力が作用して皺が伸びた。これにより、間隔調整支柱を用いなくても、極めて綺麗な外観を呈していた。その結果、湾曲形状防煙垂壁用パネルの配置後にガラス繊維シートの皺を除去する作業が省略できた。
【００９８】
以上、本発明の好適な実施形態について説明したが、本発明は上記実施形態に限定されるものではなく、種々の変形が可能である。例えば、上記実施形態において、湾曲形状防煙垂壁は、レール、端部方立、中間方立及びパネルジョイントを用いて湾曲形状防煙垂壁用パネルを配置固定するものとして説明したが、複数枚の湾曲形状防煙垂壁用パネルを下側から支える下部通しフレームなどの他の部材を用いて湾曲形状防煙垂壁用パネルを配置固定するものとしてもよい。
【００９９】
また、第１の実施形態では、外枠が４分割されるものとして説明したが、２分割されるものであってもよく、一体的に構成されるものであってもよい。
【符号の説明】
【０１００】
１…湾曲形状防煙垂壁、２…レール、３…端部方立、４…中間方立、５…パネルジョイント、６…湾曲形状防煙垂壁用パネル、１０…防煙垂壁用パネル本体、１１…枠体、１１ａ，１１ｂ…横枠部（辺部）、１１ｃ，１１ｄ…縦枠部、１２…ガラス繊維シート、２０…外枠、２０ａ，２０ｂ…横枠部、２１ａ，２１ｂ…横枠部の溝部、２０ｃ，２０ｄ…縦枠部、２１ｃ，２１ｄ…縦枠部の溝部、３０…外枠、４０…湾曲形状防煙垂壁用パネル本体、４１…間隔調整支柱。
【図１】
2011021350.tif 000005
【図２】
2011021350.tif 000006
【図３】
2011021350.tif 000007
【図４】
2011021350.tif 000008
【図５】
2011021350.tif 000009
【図６】
2011021350.tif 000010
【図７】
2011021350.tif 000011
【図８】
2011021350.tif 000012
【図９】
2011021350.tif 000013
【図１０】
2011021350.tif 000014
【図１１】
2011021350.tif 000015
【図１２】
2011021350.tif 000016
【図１３】
2011021350.tif 000017
【図１４】
2011021350.tif 000018